(57)【要約】【課題】ゴム製品の表面ひずみを簡易に、精度よく測定すること。【解決手段】表面ひずみ測定用シート１を適当な大きさに切断してから、測定対象ゴム製品であるタイヤ１０のサイドウォール１０ｓｗ表面に貼り付ける。そして、表面ひずみ測定用シート１の格子を着色し、表面ひずみ測定用シート１の格子を紙や透明なＯＨＰシート等の被記録媒体５１へ転写して、サイドウォール１０ｓｗの変形前における格子パターン１ｉ１を得る。次に、タイヤ１０へ荷重Ｐを作用させてサイドウォール１０ｓｗ表面を変形させて、同様にサイドウォール１０ｓｗの変形後における格子パターン１ｉ２を得る。このようにして、サイドウォール１０ｓｗの変形前後における格子パターン１ｉ１及び１ｉ２を取得する。これらの格子パターン１ｉ１及び１ｉ２から、格子の座標を求め、これらの座標に基づいて測定対象の表面ひずみを計算する。【選択図】      図５
2004317316.tif 000002
【特許請求の範囲】
【請求項１】
測定対象のゴム製品よりも硬度の低い材料のシート状基材と、
当該基材の一方の面に形成した凸線又は凹線によって構成した格子とを有し、前記格子が形成された面の反対面と測定対象の表面とが貼り合わされて、測定対象表面の変形を前記格子の変形に変換することを特徴とするゴム製品の表面ひずみ測定用シート。
【請求項２】
前記シート基材の硬度はＪＩＳ−Ｋ−６２５３  Ａ硬度において４０以上５５以下で厚さは０．３ｍｍ以上１ｍｍ以下、さらに前記格子の間隔は１ｍｍ以上２ｍｍ以下であることを特徴とする請求項１に記載のゴム製品の表面ひずみ測定用シート。
【請求項３】
前記凸線又は前記凹線の幅は０．１ｍｍ以上０．５ｍｍ以下であり、また、前記凸線又は前記凹線の高さ又は深さは０．１ｍｍ以上０．５ｍｍ以下であることを特徴とする請求項１又は２に記載のゴム製品の表面ひずみ測定用シート。
【請求項４】
測定対象のゴム製品よりも硬度の低い材料で作られ、かつ一方の面に形成された凸線又は凹線によって格子が構成された測定用シートを、前記格子が形成された面とは反対面と測定対象表面とを対向させて貼り付ける工程と、
前記測定対象の変形前後における格子面を被記録媒体に転写することで前記測定対象の変形前後における格子パターンを取得する工程と、
前記被記録媒体に転写した格子パターンから、前記測定対象の変形前後における格子パターンの格子点座標を取得する工程と、
前記格子点座標から各格子のひずみを算出して測定対象の表面ひずみを求める工程と、を含むことを特徴とするゴム製品の表面ひずみ測定方法。
【請求項５】
前記格子パターンを取得する工程においては、着色材を塗布した前記格子を前記被記録媒体に転写することを特徴とする請求項４に記載のゴム製品の表面ひずみ測定方法。
【請求項６】
タイヤのゴム材料よりも硬度の低い材料のシート状基材と、当該基材の一方の面に形成した凸線又は凹線によって構成した格子とを有し、前記格子が形成された面の反対面と前記タイヤの測定部分における表面とが貼り合わされて、前記タイヤの測定部分の表面における変形を前記格子の変形に変換することを特徴とするタイヤの表面ひずみ測定用シート。
【請求項７】
前記シート基材の硬度はＪＩＳ−Ｋ−６２５３  Ａ硬度において４０以上５５以下で厚さは０．３ｍｍ以上１ｍｍ以下、さらに前記格子の間隔は１ｍｍ以上２ｍｍ以下であることを特徴とする請求項６に記載のタイヤの表面ひずみ測定用シート。
【請求項８】
前記凸線又は前記凹線の幅は０．１ｍｍ以上０．５ｍｍ以下であり、また、前記凸線又は前記凹線の高さ又は深さは０．１ｍｍ以上０．５ｍｍ以下であることを特徴とする請求項６又は７に記載のタイヤの表面ひずみ測定用シート。
【請求項９】
タイヤのゴム材料よりも硬度の低い材料で作られ、かつ一方の面に形成された凸線又は凹線によって格子が構成された測定用シートを、前記格子が形成された面とは反対面とタイヤの測定対象表面とを対向させて貼り付ける工程と、
前記タイヤの変形前後における格子面を被記録媒体に転写することで前記タイヤの変形前後における格子パターンを取得する工程と、
前記被記録媒体に転写した格子パターンから、前記タイヤの変形前後における格子パターンの格子点座標を取得する工程と、
前記格子点座標から各格子のひずみを算出して前記タイヤの測定対象表面における表面ひずみとする工程と、を含むことを特徴とするタイヤの表面ひずみ測定方法。
【請求項１０】
前記格子パターンを取得する工程においては、着色材を塗布した前記格子を前記被記録媒体に転写することを特徴とする請求項９に記載のタイヤの表面ひずみ測定方法。
【発明の詳細な説明】
【０００１】
【発明の属する技術分野】
この発明は、ゴム製品の表面ひずみ測定に関し、さらに詳しくは、ゴム製品の表面ひずみを簡易に、そして精度よく測定できるゴム製品の表面ひずみ測定用シート及びゴム製品の表面ひずみ測定方法、並びにタイヤの表面ひずみ測定用シート及びタイヤの表面ひずみ測定方法に関する。
【０００２】
【従来の技術】
タイヤやコンベアベルト等のゴム製品においては、表面ひずみを細かく測定することにより、故障や耐久性等の設計要因をより正確に知ることができる。ゴム製品の物性を計測する方法には、サンプルのゴム状弾性体の側面に基準標識を記入して、ゴム状弾性複合体の接着界面近傍の物性を計測する技術が特許文献１に開示されている。
【０００３】
【特許文献１】
特開平２０００−３０４６６６号公報  Ｐ２、Ｐ３  図５
【０００４】
【発明が解決しようとする課題】
ところで、上記方法でタイヤその他のゴム製品の表面ひずみを測定しようとすると、ゴム製品の表面に基準標識を記入しなければならず、ひずみの測定に手間を要していた。また、特許文献１に開示された物性分布測定方法は、ゴムと金属、ゴムと繊維といったゴム状弾性複合体において、ゴムと金属等との接着界面近傍における物性分布を測定するものである。タイヤその他のゴム製品表面上における表面ひずみを、２ｍｍ程度の細かい間隔で簡易に測定できる技術は未だ確立されていない。
【０００５】
そこで、この発明は、上記に鑑みてなされたものであって、ゴム製品の表面ひずみを簡易に測定すること、ゴム製品の表面ひずみを細かい間隔で精度よく測定することのうち少なくとも一つを達成できるゴム製品の表面ひずみ測定用シート及びゴム製品の表面ひずみ測定方法、並びにタイヤの表面ひずみ測定用シート及びタイヤの表面ひずみ測定方法を提供することを目的とする。
【０００６】
【課題を解決するための手段】
上述の目的を達成するために、本発明に係るゴム製品の表面ひずみ測定用シートは、測定対象のゴム製品よりも硬度の低い材料のシート状基材と、当該基材の一方の面に形成した凸線又は凹線によって構成した格子とを有し、前記格子が形成された面の反対面と測定対象の表面とが貼り合わされて、測定対象表面の変形を前記格子の変形に変換することを特徴とする。
【０００７】
このように、表面に格子が形成されたゴム製品の表面ひずみ測定用シートを測定対象のゴム製品に貼り付けて使用するので、測定対象表面に標識を記入する必要はない。これにより、ゴム製品の表面ひずみを簡易に測定することができる。
また、このゴム製品の表面ひずみ測定用シートは、測定対象のゴム製品よりも硬度の低い材料で作られるので、測定対象の表面の変形をほとんど拘束しない。その結果、表面ひずみの測定精度を向上させることができる。
【０００８】
また、次の本発明に係るゴム製品の表面ひずみ測定用シートは、上記ゴム製品の表面ひずみ測定用シートにおいて、前記シート基材の硬度はＪＩＳ−Ｋ−６２５３  Ａ硬度において４０以上５５以下で厚さは０．３ｍｍ以上１ｍｍ以下、さらに前記格子の間隔は１ｍｍ以上２ｍｍ以下であることを特徴とする。
【０００９】
このような硬度、及びシート基材の厚さであれば、測定対象の表面の変形に十分に追従できるので、当該変形はほとんど拘束されない。その結果、表面ひずみの測定精度を向上させることができる。また、このような格子間隔であれば、測定対象の表面ひずみを十分に細かく測定できる。
【００１０】
また、次の本発明に係るゴム製品の表面ひずみ測定用シートは、上記ゴム製品の表面ひずみ測定用シートにおいて、前記凸線又は前記凹線の幅は０．１ｍｍ以上０．５ｍｍ以下であり、また、前記凸線又は前記凹線の高さ又は深さは０．１ｍｍ以上０．５ｍｍ以下であることを特徴とする。
【００１１】
格子を形成する凸線又は凹線の幅、及び、凸線又は凹線の高さ又は深さがこのような範囲であれば、被記録媒体へ格子の転写画像を鮮明かつ正確に転写できる。これにより、格子の読み取りが容易になり、同時に読み取り精度も向上するので、表面ひずみの測定精度を向上させることができる。
【００１２】
また、次の本発明に係るゴム製品の表面ひずみ測定方法は、測定対象のゴム製品よりも硬度の低い材料で作られ、かつ一方の面に形成された凸線又は凹線によって格子が構成された測定用シートを、前記格子が形成された面とは反対面と測定対象表面とを対向させて貼り付ける工程と、前記測定対象の変形前後における格子面を被記録媒体に転写することで前記測定対象の変形前後における格子パターンを取得する工程と、前記被記録媒体に転写した格子パターンから、前記測定対象の変形前後における格子パターンの格子点座標を取得する工程と、前記格子点座標から各格子のひずみを算出して測定対象の表面ひずみを求める工程と、を含むことを特徴とする。
【００１３】
このように、表面に格子が形成されたゴム製品の表面ひずみ測定用シートを測定対象のゴム製品に貼り付けることにより、ゴム製品の表面ひずみを測定する。
このため、測定対象表面に標識を記入する必要はない。これにより、ゴム製品の表面ひずみを簡易に測定することができる。また、このゴム製品の表面ひずみ測定方法に使用する測定用シートは、測定対象のゴム製品よりも硬度の低い材料で作られるので、測定対象の表面の変形をほとんど拘束しない。その結果、測定対象の変形を格子の変形へ正確に反映できるので、表面ひずみの測定精度を向上させることができる。
【００１４】
また、次の本発明に係るゴム製品の表面ひずみ測定方法のように、前記格子パターンを取得する工程においては、着色材を塗布した前記格子を前記被記録媒体に転写することが好ましい。このようにすれば、紙やＯＨＰシート等の被記録媒体へ鮮明に格子パターンを転写できるので、格子パターンの読み取りが容易になるとともに、読み取り精度も向上させることができる。これにより、表面ひずみの測定精度を向上させることができる。
【００１５】
また、次の本発明に係るタイヤの表面ひずみ測定用シートは、タイヤのゴム材料よりも硬度の低い材料のシート状基材と、当該基材の一方の面に形成した凸線又は凹線によって構成した格子とを有し、前記格子が形成された面の反対面と前記タイヤの測定部分における表面とが貼り合わされて、前記タイヤの測定部分の表面における変形を前記格子の変形に変換することを特徴とする。
【００１６】
このように、表面に格子が形成されたタイヤの表面ひずみ測定用シートをタイヤの測定箇所に貼り付けて使用するので、タイヤ表面に標識を記入する必要はない。これにより、タイヤの表面ひずみを簡易に測定することができる。また、タイヤの表面ひずみ測定用シートを測定対象に貼り付け、格子パターンを転写することにより、タイヤの表面に沿った格子パターンを取得できる。これにより、タイヤのサイドウォールのように表面に曲率があり３次元的に変形する場合でも、精度よく表面ひずみを求めることができる。さらに、このタイヤの表面ひずみ測定用シートは、測定対象のタイヤよりも硬度の低い材料で作られるので、タイヤ表面の変形をほとんど拘束しない。その結果、表面ひずみの測定精度を向上させることができる。また、タイヤの表面ひずみ測定においては、高荷重により変形量が大きくなったときでも、タイヤの表面ひずみ測定用シートが追従するので、表面ひずみの測定精度が向上する。
【００１７】
また、次の本発明に係るタイヤの表面ひずみ測定用シートは、上記タイヤの表面ひずみ測定用シートにおいて、前記シート基材の硬度はＪＩＳ−Ｋ−６２５３Ａ硬度において４０以上５５以下で厚さは０．３ｍｍ以上１ｍｍ以下、さらに前記格子の間隔は１ｍｍ以上２ｍｍ以下であることを特徴とする。
【００１８】
このような硬度、及びシート基材の厚さであれば、タイヤの表面の変形に十分に追従できるので、当該変形はほとんど拘束されない。その結果、表面ひずみの測定精度を向上させることができる。これは、特にタイヤのサイドウォールのように曲率が大きい部分における表面ひずみの測定に有効である。また、このような格子間隔であれば、タイヤのサイドウォール部半径方向の表面ひずみを十分に細かく測定できる。
【００１９】
また、次の本発明に係るタイヤの表面ひずみ測定用シートは、上記タイヤの表面ひずみ測定用シートにおいて、前記凸線又は前記凹線の幅は０．１ｍｍ以上０．５ｍｍ以下であり、また、前記凸線又は前記凹線の高さ又は深さは０．１ｍｍ以上０．５ｍｍ以下であることを特徴とする。
【００２０】
格子を形成する凸線又は凹線の幅、及び、凸線又は凹線の高さ又は深さがこのような範囲であれば、被記録媒体へ格子の転写画像を鮮明かつ正確に転写できる。これにより、格子の読み取りが容易になり、同時に読み取り精度も向上するので、表面ひずみの測定精度を向上させることができる。
【００２１】
また、次の本発明に係るタイヤの表面ひずみ測定方法は、タイヤのゴム材料よりも硬度の低い材料で作られ、かつ一方の面に形成された凸線又は凹線によって格子が構成された測定用シートを、前記格子が形成された面とは反対面とタイヤの測定対象表面とを対向させて貼り付ける工程と、前記タイヤの変形前後における格子面を被記録媒体に転写することで前記タイヤの変形前後における格子パターンを取得する工程と、前記被記録媒体に転写した格子パターンから、前記タイヤの変形前後における格子パターンの格子点座標を取得する工程と、前記格子点座標から各格子のひずみを算出して前記タイヤの測定対象表面における表面ひずみとする工程と、を含むことを特徴とする。
【００２２】
このように、表面に格子が形成されたタイヤの表面ひずみ測定用シートをタイヤの測定箇所に貼り付けて使用するので、タイヤ表面に標識を記入する必要はない。これにより、タイヤの表面ひずみを簡易に測定することができる。また、タイヤの表面ひずみ測定用シートを測定対象に貼り付け、格子パターンを転写することにより、タイヤの表面に沿った格子パターンを取得できる。これにより、タイヤのサイドウォールのように表面に曲率があり３次元的に変形する場合でも、精度よく表面ひずみを求めることができる。さらに、このタイヤの表面ひずみ測定方法に使用する測定用シートは、測定対象のタイヤよりも硬度の低い材料で作られるので、タイヤ表面の変形をほとんど拘束しない。その結果、タイヤの変形を正確に格子の変形に反映して、表面ひずみの測定精度を向上させることができる。
【００２３】
また、次の本発明に係るタイヤの表面ひずみ測定方法のように、前記格子パターンを取得する工程においては、着色材を塗布した前記格子を前記被記録媒体に転写することが好ましい。このようにすれば、紙やＯＨＰシート等の被記録媒体へ鮮明に格子パターンを転写できるので、格子パターンの読み取りが容易になるとともに、読み取り精度も向上させることができる。これにより、表面ひずみの測定精度を向上させることができる。また、着色材により被記録媒体へ転写させれば、被記録媒体に追従性のよい紙やＯＨＰシート等を使用することができる。
これにより、タイヤのサイドウォールのように、表面に曲率があり３次元的に変形する場合でも、精度よく表面ひずみを求めることができる。
【００２４】
【発明の実施の形態】
以下、この発明につき図面を参照しつつ詳細に説明する。なお、この実施の形態によりこの発明が限定されるものではない。また、下記実施の形態における構成要素には、当業者が容易に想定できるもの、あるいは実質的に同一のものが含まれる。
【００２５】
（実施の形態１）
実施の形態１においては、本発明に係るゴム製品の表面ひずみ測定方法について、タイヤのサイドウォールの表面ひずみを測定する場合を例にとって説明する。図１は、表面ひずみの測定対象であるタイヤを、その回転軸を含む子午面で切った断面を示す一部断面図である。同図を用いて、本実施の形態における予測対象構造体であるタイヤ１０の構造について、簡単に説明する。キャップトレッド１１は、タイヤ１０の路面接地部に配置されており、カーカス１５、ベルト１４又はブレーカの外側を覆うゴム層である。キャップトレッド１１は、カット衝撃に対してカーカス１５やベルト１４を保護する役目を持っている。
【００２６】
アンダトレッド１２は、キャップトレッド１１とベルト１４との間に配置されるゴム層で、発熱性、接着性等を向上させる目的で用いられる。サイドトレッド１３は、サイドウォール部の最も外側に配置されて外からの傷がカーカス１５に達するのを防止するとともに、ラジアルタイヤの場合には、車軸からの駆動力を路面に伝える補助的役割も担っている。
【００２７】
ベルト１４は、キャップトレッド１１とカーカス１５との間に配置されたゴム引きコード層である。なお、バイアスタイヤの場合にはブレーカと呼ぶ。ラジアルタイヤにおいて、ベルト１４は形状保持及び強度メンバーとして重要な役割を担っている。カーカス１５はタイヤ１０の骨格をなすゴム引きコード層である。カーカス１５は、タイヤ１０に空気を充填した際に圧力容器としての役目を果たす強度メンバーであり、その内圧によって荷重を支え、走行中の動的荷重に耐える構造を持っている。
【００２８】
ビード１６は、内圧によって発生するカーカス１５のコード張力を支えているスチールワイヤの束を、硬質ゴムで固めたリングである。タイヤ１０をホイールのリムに固定させる役割を果たす他、カーカス１５、ベルト１４及びトレッドとともに、タイヤ１０の強度部材となる。ビードフィラ１７は、カーカス１５をビードワイヤの周囲に巻き込む際に生ずる空間へ充填するゴムである。カーカス１５をビード１６に固定するとともに、その部分の形状を整え、ビード部全体の剛性を高める。次に、実施の形態１に係る本発明のゴム製品の表面ひずみ測定用シート及びゴム製品のひずみ測定方法について説明する。
【００２９】
図２は、実施の形態１に係る本発明のゴム製品の表面ひずみ測定用シートを示す説明図である。このゴム製品（タイヤ）の表面ひずみ測定用シート（以下表面ひずみ測定用シート）１は、測定対象の表面に貼り付けて測定対象の表面ひずみを測定するものであり、表面に凸線３又は凹線３’による格子が形成されており、かつ測定対象のゴム製品よりも柔らかい材料で形成した点に特徴がある。
【００３０】
図２（ａ）、（ｂ）に示すように、この表面ひずみ測定用シート１の表面には、シート基材１Ｂ上に凸線３による格子が前記シート基材１Ｂと一体に形成されている。この格子は、図２（ｂ）に示すように、格子間隔がａの正方形状となっている。図２（ｂ）、（ｃ）に示すように、格子間隔ａは、隣接する凸線３同士の中心間距離で表される距離であり、測定対象の表面ひずみの測定精度を向上させるために、格子間隔ａは１ｍｍ以上２ｍｍ以下が好ましい。なお、この格子は、図２（ｄ）に示すように、凹線３’によって形成してもよい。
【００３１】
シート基材１Ｂは測定対象の表面に貼り付けられ、かつ測定対象の表面が変形することによる格子の変形を紙やＯＨＰシートその他の被記録媒体へ転写して、この転写画像を読み取ることにより表面ひずみを求めるものである。このため、格子を形成する凸線３又は凹線３’には、被記録媒体へ鮮明かつ正確に格子の転写画像を形成する機能が求められる。このような観点から、凸線３の高さｈ（凹線３’の場合には、深さｈ’）及び幅Ｓは０．５ｍｍ以下が好ましく、さらには０．１ｍｍ以上０．２ｍｍ以下が好ましい。このような範囲であれば、被記録媒体へ格子の転写画像を鮮明かつ正確に転写できる。これにより、格子の読み取りが容易になり、同時に読み取り精度も向上するので、表面ひずみの測定精度を向上させることができる。また、図２（ｂ）に示すように、凸線３の断面は三角形状となっており、当該三角形の頂点が被記録媒体へ線状に接するようになっている。このような構成によって、格子の変形を正確に被記録媒体へ転写することができ、また、転写像を正確に読み取ることができる。
【００３２】
なお、転写にインクや朱肉その他の着色材を使用する場合には、これらが付着し易いように、断面三角形状に形成された凸線３の頂部に表面処理を施すことが好ましい。例えば、着色材として水性インクを使用する場合には親水性処理を、油性インクを使用する場合には親油性処理を頂部３ｔに対して施す。これにより、着色材の濡れ性が改善されて、着色材が頂部へ均一に付着するので、被記録媒体に格子パターンが鮮明かつ正確に転写される。また、図２（ｃ）に示すように、凹線３’の断面を三角形状としてもよい。
【００３３】
図３は、実施の形態１に係るゴム製品の表面ひずみ測定用シートの変形例を示す説明図である。この表面ひずみ測定用シート１ａのように、被記録媒体へ鮮明かつ正確に格子の転写画像を形成するという観点から、表面に凸線３ａの頂部３ａｔを平面上に構成してもよい（図３（ｂ）参照）。このようにすれば、被記録媒体に転写する際における転写圧力のばらつきにより、転写された格子線の太さが影響を受け難くなる。その結果、後述する格子点座標の読み取りが容易になるとともに、読み取り精度も向上させることができる。このとき、断面三角形状に形成した前記凸線３と同様に、転写使用するインクや朱肉その他の着色材が付着し易いように、凸線３ａの頂部３ａｔに表面処理を施すことが好ましい。これにより、着色材の濡れ性が改善されて、着色材が頂部３ａｔ全面へ均一に付着するので、被記録媒体に格子パターンが鮮明かつ正確に転写される。また、図３（ｃ）に示すように、凹線３ａ’の断面を矩形状に形成してもよい。
【００３４】
表面ひずみ測定用シート１は測定対象の表面に貼り付けられ、測定対象表面の変形を、前記表面ひずみ測定用シート１の表面に形成された格子の変形に変換する。このような観点から、測定対象の表面に対する追従性を高くする必要がある。このため、シート基材１Ｂの厚さはシート基材１Ｂの全体にわたって均一であることが好ましい。さらに、シート基材１Ｂの厚さｔは１ｍｍ以下が好ましく、測定対象表面に対する追従性をさらに向上させるためには、０．３ｍｍ以上０．５ｍｍ以下が好ましい。
【００３５】
また、表面ひずみ測定用シート１の硬度が高すぎると、測定対象であるゴム製品の表面を拘束して正確な表件ひずみを求めることができない。したがって、表面ひずみ測定用シート１の硬度は測定対象であるゴム製品のゴムよりも硬度の低いことが好ましい。具体的には、表面ひずみ測定用シート１の硬度を、ＪＩＳ−Ｋ−６２５３  Ａ硬度において、４０以上５５以下とすることが好ましい。この硬度範囲であれば、通常測定対象となるゴム製品よりも硬度が低いので、測定対象であるゴム製品の表面を拘束しないので、表面の変形に対して十分に追従して高い精度で表面歪を求めることができる。なお、表面ひずみ測定用シート１は、ゴムで製造することが好ましく、例えば天然ゴム、ブチルゴム、シリコンゴム等を使用することができる。なお、ひずみ測定においては、変形前の格子点座標と変形後の格子点座標とがわかればよいので、格子の形状は長方形でもよい。
【００３６】
図４は、実施の形態１に係る本発明のゴム製品のひずみ測定方法を示すフローチャートである。また、図５は、実施の形態１に係る本発明のゴム製品のひずみ測定方法の手順を示す説明図である。これらを用いて、実施の形態１に係る本発明のゴム製品（タイヤ）のひずみ測定方法について説明する。
【００３７】
実施の形態１においては、タイヤ１０のサイドウォール１０ｓｗにおける表面ひずみを測定する。まず、図５（ａ）に示すように、表面ひずみ測定用シート１を適当な大きさに切断してから、表面ひずみ測定用シート１の格子面反対側に接着剤を塗布して、測定対象であるタイヤ１０のサイドウォール１０ｓｗ表面に貼り付ける（ステップＳ１０１）。このとき、タイヤ１０内には空気が充填されていない状態（大気圧とタイヤ内圧とが略等しい状態）であり、この状態を初期状態とする。
【００３８】
表面ひずみの測定前に、朱肉やインク等の着色材により、タイヤ１０のサイドウォール１０ｓｗに貼り付けられた表面ひずみ測定用シート１の格子を着色する。そして、図５（ｂ）に示すように、表面ひずみ測定用シート１の格子を紙や透明なＯＨＰシート等の被記録媒体５１へ転写して、サイドウォール１０ｓｗの変形前における格子パターン１ｉ１（図５（ｄ））を得る（ステップＳ１０２）。
ここで、表面ひずみ測定用シート１の格子は凸線又は凹線で形成されているので、例えば粘度のような塑性材料に凸線又は凹線で形成されている格子を転写してもよい。このようにすれば、格子を着色する必要がないので、それだけ表面ひずみ測定の手間を軽減することができる。
【００３９】
次に、図５（ｃ）に示すように、タイヤ１０へ荷重Ｐを作用させてサイドウォール１０ｓｗ表面を変形させる。サイドウォール１０ｓｗの変形とともに、ここに貼り付けられた表面ひずみ測定用シート１も変形するので、サイドウォール１０ｓｗ表面における変形は、表面ひずみ測定用シート１表面の格子の変形として現れる。この変形した格子を、ステップＳ１０２と同様に被記録媒体５２へ転写して、サイドウォール１０ｓｗの変形後における格子パターン１ｉ２（図５（ｄ））を得る（ステップＳ１０３）。このようにして、サイドウォール１０ｓｗの変形前後における格子パターン１ｉ１及び１ｉ２を取得する（図５（ｄ））。
【００４０】
サイドウォール１０ｓｗの変形前後における格子パターン１ｉ１及び１ｉ２を取得したら、格子を読み取って各格子点の座標を求める（ステップＳ１０４）。次に、この座標のファイルを作成し（ステップＳ１０５）、作成した座標ファイルに基づいて測定対象の表面ひずみを計算する（ステップＳ１０６）。その後、計算結果を計算手段の表示手段へ表示し（ステップＳ１０７）、計算結果のファイルを作成して（ステップＳ１０８）、ゴム製品の表面ひずみの測定が終了する。
【００４１】
次に、格子点の各座標を取得する手順について説明する。格子点とは、格子を構成する縦線と横線との交点である。図６は、実施の形態１に係る本発明のゴム製品の表面ひずみ測定装置を示す説明図である。また、図７は、実施の形態１に係る本発明の格子点の座標読み取り手順を示すフローチャートである。図６、７を用いて、格子点の座標読み取りについて説明する。
【００４２】
被記録媒体５１、５２へ転写した格子パターン１ｉ１及び１ｉ２の格子点の各座標を、ゴム製品（タイヤ）の表面ひずみ測定装置５０に備えられた格子パターン読み取り装置２０によって読み取る。格子パターン読み取り装置２０は、光学顕微鏡２１とＸ方向及びＹ方向のスケールとを有する読み取りテーブル２２から構成されている。被記録媒体５１、５２へ転写された格子パターンは、格子パターン拡大手段である光学顕微鏡２１によって格子パターン１ｉ１、１ｉ２の転写像が拡大される（ステップＳ２０１）。拡大された転写像は、光学顕微鏡２１の視野２１ｓ中に表示される。視野２１ｓ内には、Ｘ方向の基準線２１ＸとＹ方向の基準線２１Ｙとが示されている。
【００４３】
読み取りテーブル２２に取り付けられているハンドル２２Ｘ及び２２Ｙを動かすことによって、視野２１ｓ内に示された両基準線２１Ｘと２１Ｙとの交点Ｄに、格子点を重ねる。そして、交点Ｄと格子点とが重なったときのＸ座標及びＹ座標が、格子点のＸ座標及びＹ座標となる。読み取りテーブル２２にはＸ方向及びＹ方向のスケールが内蔵されており、当該スケールの指示値は信号分岐ボックス２４を介して表示器２６へ実際の値として表示される。
【００４４】
信号分岐ボックス２４で受信したＸ方向及びＹ方向のスケールの指示値は、Ａ／Ｄ変換器２８へ取り込まれ、ここでディジタル信号に変換される。表面ひずみ計算手段３０のデータ処理部３０ｃは、Ａ／Ｄ変換器２８からディジタル変換された格子パターン１ｉ１及び１ｉ２の格子点の座標値を取得する（ステップＳ２０２）。次に、Ａ／Ｄ変換における量子化誤差を取り除くため、予め求めた補正係数によって、取得した格子点のディジタル変換後における座標値を補正して量子化誤差を取り除き、当該座標値を表示器２６に表示された実際の測定値と同じ値へ変換する（ステップＳ２０３）。
【００４５】
図８は、格子パターンと格子点の各座標との関係を示す説明図である。同図に示すように、格子パターン１ｉ１、１ｉ２はＭ列の格子列から構成され、１列につきＮ個の格子からなる（Ｍ、Ｎは自然数）。このため、全格子点数は（Ｍ＋１）×（Ｎ＋１）となる。格子列１列について、Ｎ＋１個の格子点に対するＸ及びＹ座標の値を読み込んでいない場合には（ステップＳ２０４：Ｎｏ）、同じ列における次の格子点に移動し（ステップＳ２０５）、１列におけるすべての格子点を読み取る。
【００４６】
Ｎ＋１個の格子点について各座標値の読み込みが終了したら（ステップＳ２０４：Ｙｅｓ）、Ｍ＋１列すべての格子点を読み込んだか否かを判定する（ステップＳ２０６）。Ｍ＋１列すべての格子点に関する座標値を読み込んでいない場合は（ステップＳ２０６：Ｎｏ）次の格子列へ移動し（ステップＳ２０７）、Ｍ＋１列の格子列に対してＮ＋１個の格子点を読み込む。Ｍ＋１列に存在するすべての格子点に関する座標値を読み込んだら（ステップＳ２０６：Ｙｅｓ）、全座標のファイルを作成し、格子点の座標値読み取りが終了する。なお、タイヤ１０の変形前における格子パターン１ｉ１と、タイヤ１０の変形後における格子パターン１ｉ２とに対して格子点座標値を求め、変形前後における格子点座標のファイルを作成する。このファイルは、表面ひずみ計算手段３０の記憶部３０ｍや、外部記憶手段３６に格納される。
【００４７】
ここで、記憶部３０ｍは、ハードディスク装置や光磁気ディスク装置、又はフラッシュメモリ等の不揮発性のメモリ（ＣＤ−ＲＯＭ等のような読み出しのみが可能な記憶媒体）や、ＲＡＭ（Ｒａｎｄｏｍ  Ａｃｃｅｓｓ  Ｍｅｍｏｒｙ）のような揮発性のメモリ、あるいはこれらの組み合わせにより構成することができる。また、表面ひずみ計算手段３０には、入力手段３２が接続されており、これによって計算に必要なデータをデータ処理部３０ｃや記憶部３０ｍへ入力する。ここで、入力手段３２には、キーボード、マウス等の入力デバイスを使用することができる。
【００４８】
また、データ処理部３０ｃは、専用のハードウェアにより実現されるものであってもよい。表面ひずみ計算手段３０に表示手段３４を接続して、入力画像や計算結果等を表示させてもよい。この表示手段３４には、ＣＲＴ（Ｃａｔｈｏｄｅ  Ｒａｙ  Ｔｕｂｅ）や液晶表示装置等を使用することができる。また、必要に応じてプリンタ（図示せず）を接続し、計算結果等を出力させてもよい。
【００４９】
ここで、上述した格子点の各座標を取得する手順では、光学顕微鏡によるマニュアル操作によって格子位置を調整し、各格子点の座標を取得したが、例えばスキャナやＣＣＤカメラのような光学読み取り装置によって格子パターン１ｉ１、１ｉ２を読み込んでもよい。そして、読み込んだ格子パターン１ｉ１、１ｉ２に対して二値化、及びエッジ抽出処理等の画像処理を施して各格子点の座標を特定し、これを取得することもできる。
【００５０】
次に、表面ひずみの計算について説明する。図９は、実施の形態１に係る本発明の表面ひずみ計算手順を示すフローチャートである。また、図１０は、格子点と座標との関係を示す説明図である。まず、タイヤ１０の変形前における格子パターン１ｉ１と、タイヤ１０の変形後における格子パターン１ｉ２に対して求めた格子点座標のファイルを、ひずみ計算手段３０の記憶部３０ｍ等から読み出す（ステップＳ３０１）。そして、タイヤ１０の変形前後における格子点座標のファイルを表面ひずみ計算手段３０のデータ処理部３０ｃへ読み込む（ステップＳ３０２、Ｓ３０３）。このファイルに記録されている各格子点の座標値に基づいて、タイヤ１０の表面ひずみを計算する（ステップＳ３０４）。
【００５１】
表面ひずみの計算においては、図１０に示す格子上座標で各格子点の座標値を取り扱う。これは、絶対座標で計算すると、表面ひずみ測定用シート１の貼付精度や読み取り精度の影響を受けやすく、表面ひずみの測定精度を低下させるので、これらの影響を受け難い格子上座標で数値を取り扱う方が好ましいからである。格子▲１▼１、▲１▼２（図８参照）等の表面ひずみεは、数１によって求めることができる。数１中、（ｕｉ、ｖｉ）は各格子点の変位であり、格子点座標のファイルから読み込まれる。また、Ｇ、Ｈはそれぞれ数２及び３で表される。ここで（ξ、η）は、ひずみ座標算出用の格子座標であり、各格子中の０〜１の間の値をとる。このように、格子座標上で数値を取り扱うのは、絶対座標上での回転等を除去することができる。
【００５２】
【数１】
2004317316.tif 000003
【００５３】
【数２】
2004317316.tif 000004
【００５４】
【数３】
2004317316.tif 000005
【００５５】
数１〜３に、格子点座標のファイルから読みこまれる各格子点の変位（ｕｉ、ｖｉ）及びひずみ座標算出用の格子座標（ξ、η）を代入して、各格子における表面ひずみεを求める。表面ひずみ計算手段３０の記憶部３０ｍ等には数１〜数３を実行するためのコンピュータプログラムが格納されており、データ処理部３０ｃに当該コンピュータプログラムをロードすることにより、各格子点における表面ひずみεを計算することができる。なお、表面ひずみεを求める詳細な計算手順は、下記参考文献１及び２を参照されたい。
参考文献１：「Ｔｈｅ  Ｆｉｎｉｔｅ  Ｅｌｅｍｅｎｔ  Ｍｅｔｈｏｄ−Ｌｉｎｅａｒ  Ｓｔａｔｉｃ  ａｎｄ  Ｄｙｎａｍｉｃ  Ｆｉｎｉｔｅ  Ｅｌｅｍｅｎｔ  Ａｎａｌｙｓｉｓ−」；  Ｔｈｏｍａｓ  Ｊ．  Ｒ．  Ｈｕｇｈｅｓ著    Ｐｒｅｎｔｉｃｅ−Ｈａｌｌ  Ｉｎｃ．参考文献２：「Ｎｏｎ−Ｌｉｎｅａｒ  Ｅｌａｓｔｉｃ  Ｄｅｆｏｒｍａｔｉｏｎｓ」；  Ｒ．  Ｗ．  Ｏｇｄｅｎ著    Ｅｌｌｉｓ  Ｈｏｒｗｏｏｄ  Ｌｉｍｉｔｅｄ
【００５６】
ここで、このコンピュータプログラムは、コンピュータシステムにすでに記録されているプログラムとの組み合わせによって、本発明に係るゴム製品の表面ひずみ測定方法を実現できるものであってもよい。また、図６におけるデータ処理部３０ｃの機能を実現するための上記プログラムをコンピュータ読み取り可能な記録媒体に記録して、この記録媒体に記録されたプログラムをコンピュータシステムに読み込ませ、実行することにより本発明に係る予測方法を実行してもよい。なお、ここでいう「コンピュータシステム」とは、ＯＳや周辺機器などのハードウェアを含むものとする。
【００５７】
各格子点の座標を読み込む際に、読み取りテーブル２２上に載置された被記録媒体５１（図６参照）等が傾いている場合があり、この傾きに起因して格子パターン１ｉ１等に回転が生ずることがある。その結果、表面ひずみが発生していない場合でもひずみが発生しているものとして取り扱われるので、この回転を除去する必要がある。このために、格子座標を採用している。これにより、絶対座標ではなく格子上座標で表面ひずみを取り扱うことができるので、表面ひずみ測定用シート１の貼り付け誤差の影響を排除することができる。
【００５８】
このテンソル計算は、表面ひずみ計算手段３０の記憶部３０ｍ等にテンソル計算を実行するためのコンピュータプログラムを格納し、データ処理部３０ｃに当該コンピュータプログラムをロードすることにより実行することができる。各格子の表面ひずみεを求めたら、ゴム製品の表面ひずみ測定装置５０に備えられた表示手段３４に結果を表示する（ステップＳ３０５）とともに、結果をファイルに保存して（ステップＳ３０６）、表面ひずみの計算が終了する。なお、回転ひずみを除去する詳細な計算手順については、上記参考文献１、２を参照されたい。
【００５９】
以上、実施の形態１に係る本発明によれば、表面ひずみ測定用シートを表面ひずみの測定対象であるタイヤやゴム製品に貼り付けるので、表面に標識を記入する手間が省け、簡易に表面ひずみを測定できる。また、実施の形態１に係る本発明の表面ひずみ測定用シートは、格子の間隔を１ｍｍ以上２ｍｍ以下としているので、細かい間隔で表面ひずみを求めることができる。さらに、実施の形態１に係る本発明の表面ひずみ測定用シートは、硬度をＪＩＳ−Ｋ−６２５３  Ａ硬度において４０以上５５以下、厚さを０．３ｍｍ以上１ｍｍ以下としているので、測定対象の表面を拘束しない。これにより、表面ひずみの測定精度を向上させることができる。また、絶対座標ではなく格子状座標で表面ひずみを計算するので、表面ひずみ測定用シートの貼り付け誤差等の影響を排除して、表面ひずみの測定精度を向上させることができる。
【００６０】
また、表面ひずみ測定用シートを測定対象に貼り付け、格子パターンを転写することにより、測定対象の表面に沿った格子パターンを取得できる。これにより、タイヤのサイドウォールやホース表面等のように表面に曲率があり３次元的に変形する場合でも、精度よく表面ひずみを求めることができる。これは、特に変形量が大きい場合に有利である。また、測定対象の表面にケガキ線を描くと、測定対象の剛性が低下して正確な表面ひずみを求めることはできないが、本発明においては表面ひずみ測定用シートを測定対象に貼り付けるので、このような問題も発生しない。
【００６１】
（実施例）
ここでは、実施の形態１で説明した表面ひずみの測定シート及び表面ひずみ測定方法を用いて、荷重が作用したタイヤのサイドウォールの表面ひずみを求めた。測定条件を表１に示す。
【００６２】
【表１】
2004317316.tif 000006
【００６３】
表１に示した条件で、タイヤのサイドウォールの表面ひずみを求めた。図１１は、その結果を表した説明図である。同図に示すように、Ｙ方向の表面ひずみεＹは、サイドウォール中央部からビード部に向かって、引張ひずみから圧縮ひずみに変化することがわかる。Ｘ方向の表面ひずみεＸはサイドウォール中央部からビード部の間で、引張ひずみであることがわかる。せん断ひずみγＸＹは、サイドウォール中央部からビード部の間で、圧縮ひずみから引張ひずみへ変化することがわかる。このように、本発明の表面ひずみの測定シート及び表面ひずみ測定方法によれば、精度よく表面ひずみを求めることができ、このときの処理誤差は２．５％以下である。
【００６４】
（実施の形態２）
実施の形態１においては、タイヤを例によって本発明に係る表面ひずみの測定シート及び表面ひずみ測定方法を説明したが、本発明が適用できるゴム製品はタイヤに限られるものではない。実施の形態２においては、他の適用例として本発明に係る表面ひずみの測定シート及び表面ひずみ測定方法を、ホースに適用した例について説明する。図１２は、ホースに本発明を適用した例を示す説明図である。ホース６０の使用時においては、内圧の作用や曲げによってホース６０には表面ひずみが発生する。この表面ひずみを測定するため、図１２（ａ）に示すように、内圧及び曲がりが作用していないホース６０の表面に、本発明の表面ひずみ測定用シート１を貼り付ける。このときの格子パターン１ｉ１（図１２（ｃ））を、被記録媒体５１に転写する。
【００６５】
次に、ホース６０に内圧Ｐｉや曲げを作用させる（図１２（ｂ））。そして、このときの格子パターン１ｉ２（図１２（ｃ））を、被記録媒体５２に転写する。ホース６０の変形前後における格子パターン１ｉ１、１ｉ２から、実施の形態１で説明した本発明に係る表面ひずみ測定方法により、ホース６０の表面ひずみを測定する。本発明においては、簡易に、かつ高い精度でホース６０の表面ひずみを求めることができる。これにより、ホース破損等の設計要因を細かく把握することができる。
【００６６】
（実施の形態３）
実施の形態２においては、他の適用例として本発明に係る表面ひずみの測定シート及び表面ひずみ測定方法を、コンベアベルトに適用した例について説明する。図１３は、コンベアベルトに本発明を適用した例を示す説明図である。コンベアベルト６２はプーリー６６を通過する際に曲げを受け、また、プーリー６６を通過しないときには引張又は圧縮を受ける。これらの曲げ、あるいは引張等によるコンベアベルト６２の表面ひずみを求める。
【００６７】
まず、コンベアベルト６２に曲げ、あるいは引張等が作用していない状態で、本発明の表面ひずみ測定用シート１を貼り付け、コンベアベルト６２の変形前における格子パターン１ｉ１を被記録媒体５１に転写する（図１３（ａ））。次にコンベアベルト６２がプーリー６６の箇所で曲げを受けた場合における格子パターン１ｉ２を被記録媒体５２に転写する（図１３（ｂ））。そして、コンベアベルト６２の変形前後における格子パターン１ｉ１、１ｉ２から、実施の形態１で説明した本発明に係る表面ひずみ測定方法により、コンベアベルト６２の表面ひずみを測定する。本発明においては、簡易に、かつ高い精度でコンベアベルト６２の表面ひずみを求めることができる。これにより、コンベアベルト破損等の設計要因を細かく把握することができる。
【００６８】
（実施の形態４）
この実施の形態においては、他の適用例として本発明に係る構造体の力学的特性の予測方法を、防舷材に適用した例について説明する。図１４は、防舷材に本発明を適用した例を示す説明図である。防舷材６４は、内部に充填された高圧空気等の圧力により変形する。また、船舶と岸壁との間に挟まれて衝撃を緩和する際、防舷材６４は変形する（図１４（ｂ））。このように、内圧による変形や衝撃緩和の際における変形に起因する防舷材６４の表面ひずみを求める。
【００６９】
まず、防舷材６４に内圧や変形が作用していない状態で、本発明の表面ひずみ測定用シート１を貼り付け、防舷材６４の変形前における格子パターン１ｉ１を被記録媒体５１に転写する（図１４（ａ））。次に防舷材６４に内圧が作用したり、衝撃を緩和する際に変形したりした場合における格子パターン１ｉ２を被記録媒体５２に転写する（図１４（ｂ））。そして、防舷材６４の変形前後における格子パターン１ｉ１、１ｉ２から、実施の形態１で説明した本発明に係る表面ひずみ測定方法により、防舷材６４の表面ひずみを測定する。本発明においては、簡易に、かつ高い精度で防舷材６４の表面ひずみを求めることができる。これにより、防舷材破損等の設計要因を細かく把握することができる。
【００７０】
【発明の効果】
以上説明したように、本発明に係るゴム製品の表面ひずみ測定用シートは、測定対象のゴム製品よりも硬度が低く、表面には凸線又は凹線によって格子を構成した。そして、これを測定対象のゴム製品に貼り付けて使用するようにした。これにより、測定対象表面に標識を記入する必要はないので、ゴム製品の表面ひずみを簡易に測定することができる。また、このゴム製品の表面ひずみ測定用シートは、測定対象のゴム製品よりも硬度の低い材料で作られるので、ゴム製品の変形を正確に反映させて、表面ひずみの測定精度を向上させることができる。
【００７１】
また、本発明に係るゴム製品の表面ひずみ測定方法は、表面に格子が形成され、かつ硬度が測定対象よりも低いゴム製品の表面ひずみ測定用シートをゴム製品に貼り付けることにより、ゴム製品の表面ひずみを測定するようにした。これにより、測定対象表面に標識を記入する必要はないので、ゴム製品の表面ひずみを簡易に測定することができる。また、測定対象のゴム製品よりも硬度の低い材料で作られるゴム製品の表面ひずみ測定用シートを使用するので、ゴム製品の表面の変形を正確に反映させて、表面ひずみの測定精度を向上させることができる。
【００７２】
また、本発明に係るタイヤの表面ひずみ測定用シートは、表面に格子が形成され、かつ硬度がタイヤよりも低いタイヤの表面ひずみ測定用シートをタイヤに貼り付けて使用するようにした。これにより、タイヤ表面に標識を記入する必要はないので、タイヤの表面ひずみを簡易に測定することができる。また、このタイヤの表面ひずみ測定用シートは、測定対象のタイヤよりも硬度の低い材料で作られるので、タイヤ表面の変形を正確に反映させて、タイヤの表面ひずみの測定精度を向上させることができる。
【００７３】
また、本発明に係るタイヤの表面ひずみ測定方法は、表面に格子が形成され、かつタイヤよりも硬度の低いタイヤの表面ひずみ測定用シートをタイヤに貼り付けて、表面ひずみを求めるようにした。これにより、タイヤ表面に標識を記入する必要はないので、タイヤの表面ひずみを簡易に測定することができる。また、この方法で使用するタイヤの表面ひずみ測定用シートは、測定対象のタイヤよりも硬度の低い材料で作られるので、タイヤの変形を正確に反映させて、表面ひずみの測定精度を向上させることができる。
【図面の簡単な説明】
【図１】表面ひずみの測定対象であるタイヤを、その回転軸を含む子午面で切った断面を示す一部断面図である。
【図２】実施の形態１に係る本発明のゴム製品の表面ひずみ測定用シートを示す説明図である。
【図３】実施の形態１に係るゴム製品の表面ひずみ測定用シートの変形例を示す説明図である。
【図４】実施の形態１に係る本発明のゴム製品のひずみ測定方法を示すフローチャートである。
【図５】実施の形態１に係る本発明のゴム製品のひずみ測定方法の手順を示す説明図である。
【図６】実施の形態１に係る本発明のゴム製品の表面ひずみ測定装置を示す説明図である。
【図７】実施の形態１に係る本発明の格子点の座標読み取り手順を示すフローチャートである。
【図８】格子パターンと格子点の各座標との関係を示す説明図である。
【図９】実施の形態１に係る本発明の表面ひずみ計算手順を示すフローチャートである。
【図１０】格子点と座標との関係を示す説明図である。
【図１１】その結果を表した説明図である。
【図１２】ホースに本発明を適用した例を示す説明図である。
【図１３】コンベアベルトに本発明を適用した例を示す説明図である。
【図１４】防舷材に本発明を適用した例を示す説明図である。
【符号の説明】
１  ゴム製品の表面ひずみ測定用シート（タイヤの表面ひずみ測定用シート、表面ひずみ測定用シート）
１Ｂ  シート基材
１ｉ１、１ｉ２  格子パターン
３  凸線
３’    凹線
５１、５２  被記録媒体
１０  タイヤ
１０ｓｗ  サイドウォール
２０  格子パターン読み取り装置
２１  光学顕微鏡
３０  表面ひずみ計算手段
５０  ゴム製品の表面ひずみ測定装置（タイヤの表面ひずみ測定装置）
【図１】
2004317316.tif 000007
【図２】
2004317316.tif 000008
【図３】
2004317316.tif 000009
【図４】
2004317316.tif 000010
【図５】
2004317316.tif 000011
【図６】
2004317316.tif 000012
【図７】
2004317316.tif 000013
【図８】
2004317316.tif 000014
【図９】
2004317316.tif 000015
【図１０】
2004317316.tif 000016
【図１１】
2004317316.tif 000017
【図１２】
2004317316.tif 000018
【図１３】
2004317316.tif 000019
【図１４】
2004317316.tif 000020